(57)【特許請求の範囲】
【請求項１】
内部に電解液を有する貯液室３を備えた筐体１と、二枚の薄板４と該二枚の薄板４に挟まれた吸水性素材５から成る複数の頭皮接触部２と、前記薄板４或いは前記吸水性素材５に接続された金属導体６から成り、前記頭皮接触部２は少なくとも一部が前記貯液室３に内包され少なくとも他の一部が前記筐体１の外部に露出している事を特徴とする脳波検出用電極。
【請求項２】
貯液室３は筐体１の外部に露出した頭皮接触部２よりも低位置にある事を特徴とする請求項１に記載の脳波検出用電極。
【発明の詳細な説明】
【技術分野】
【０００１】
この発明は、脳波検出用電極に関するものである。
【背景技術】
【０００２】
従来、脳波計測における電極の装着方法としては、電極を接着剤を用いて頭皮上に貼付する方法や電極を所定の位置に保持するためにゴム製の頭部バンドを使用する方法や複数の電極が配置された専用のヘッドキャップを被る方法等がある。これらの方法は装着に手間がかかる他、着脱の際には頭髪の乱れを伴う。また、これらは頭髪を有する頭皮へ電極を接触させる際には多量の導電性ペーストが必要である為、頭髪の汚れを伴わざるを得ない。
【０００３】
これらを解決する方法として、２〜３個の電極が使用者の前頭部に接するべく配置されたヘッドバンドを用いる方法や特開2000-014787にて提案されているメガネ等に電極を配置する方法等がある。これらは、頭髪の無い前頭部へ電極を接触させる方式である為、導電性ペースト等によって頭髪が汚れる事が無く、しかも着脱の際の頭髪の乱れを伴わない。しかし、多くの脳波計測における計測対象であるアルファー波は後頭部から発生する為、これらのような前頭部のみに配置された電極によって正しい計測を行なう事は不可能である。
【０００４】
一方、ヘッドフォンに配置された電極によって脳波計測を行なう方法として、特開2001-340312では電極をスプリングの弾性により頭部に密着させる方法が提案されている。しかし、これは頭髪を有する部分における電極と頭皮の接触方法或いは導通方法については言及されいない。それに対して特開2001-187034では電極本体の先端部に導電液が浸潤された弾性スポンジを取付け、弾性スポンジから染み出た導電液を介して電極と頭皮の確実な接触を行なう方法が提案されている。これは装着は簡易であるが、弾性スポンジが接触した頭部において、接触部周辺が多量の導電液により汚れてしまう事が避けられず、また導電液を貯える液チャンバが弾性スポンジの上部に位置する場合には、さらに多量の導電液が弾性スポンジを通じて滲出する事は避けられない。また電極位置が頭頂部に有る場合、前述の通りアルファー波の計測は不完全となる。
【０００５】
一方、剣山型或いは逆Ｕ字型の電極部材を使用する事により、該電極部材が頭髪の間を通り頭皮に直接接触する方式の電極が考えられる。この方式は導電性ペーストが不要である為、使用者の頭髪を汚さずに後頭部より発生するアルファー波を含む脳波の計測が可能であり、また頭髪を乱す事無く容易に着脱可能である。しかし、導電性ペーストを一切使用しないこの方式においては、電極と頭皮をかなり強く密着させなければノイズが混入してしまう。従って使用者は電極をかなり強く押し当てるように頭部に装着する必要がある為、装着時には痛みを伴う。また痛みを避ける為に緩く装着した場合には、電極と頭皮の密着度が弱くなり、振動等によるノイズが混入してしまう。
【０００６】
【特許文献１】特開2000-014787号公報、特開2001-340312号公報、特開2001-187034号公報
【非特許文献１】インターネットホームページ（クワテック株式会  http://www.random-grp.com/kuwatec/Products/ibva/）
【発明の開示】
【発明が解決しようとする課題】
【０００７】
本発明は上記の事情に鑑み為されたもので、その解決しようとする課題は、脳波計測において、後頭部より発生するアルファー波を含む脳波の計測が可能であり、しかも導電性ペースト等によって使用者の頭髪を汚す事が無く電極を頭部に配置でき、また頭髪を乱す事無く容易に着脱可能であり、さらには装着時の痛みが無く、ノイズが混入しにくい脳波検出用電極の実現である。
【課題を解決するための手段】
【０００８】
本発明は、前記した課題を解決するためなされたもので、請求項１に記載の発明は、内部に電解液を有する貯液室３を備えた筐体１と、二枚の薄板４と該二枚の薄板４に挟まれた吸水性素材５から成る複数の頭皮接触部２と、前記薄板４或いは前記吸水性素材５に接続された金属導体６から成り、前記頭皮接触部２は少なくとも一部が前記貯液室３に内包され少なくとも他の一部が前記筐体１の外部に露出している事を特徴とする脳波検出用電極である。請求項２に記載の発明は、貯液室３は筐体１の外部に露出した頭皮接触部２よりも低位置にある事を特徴とする請求項１に記載の脳波検出用電極である。
【発明の効果】
【０００９】
脳波計測において、後頭部より発生するアルファー波を含む脳波の計測が可能であり、しかも導電性ペースト等によって使用者の髪を汚す事が無く電極を頭部に配置でき、また頭髪を乱す事無く容易に着脱可能であり、さらには装着時の痛みが無く、ノイズが混入しにくい脳波検出用電極を実現できた。
【発明を実施するための最良の形態】
【００１０】
本発明の実施の形態を図面を参照して以下に説明する。図１は、本発明の実施形態に係る脳波検出用電極の斜視図である。１は筐体を示し、２頭皮接触部を示し、４は薄板を示し、５は吸水性素材を示し、６は金属導体を示す。図２は側面図であり、図３は上面図であり、図４は正面図である。これらの図が示している通り、金属導体６は頭皮接触部２を構成する薄板４或いは吸水性素材５に接続され、二枚の薄板４と該二枚の薄板４に挟まれた吸水性素材５から成る複数の頭皮接触部２は少なくとも一部が筐体１の内部に内包され、少なくとも他の一部が筐体１の外部に露出している事を特徴とする。
【００１１】
図５は、本発明の内部構造を示す脳波検出用電極の一部透視斜視図である。１は筐体を示し、２は頭皮接触部を示し、３は内部に電解液を有する貯液室を示し、４は薄板を示し、５は吸水性素材を示す。図６は側面断面図であり、図７は上面断面図であり、図８は正面断面図である。これらの図が示している通り、本発明の実施形態に係る脳波検出用電極は、内部に電解液を有する貯液室３を備えた筐体１と、複数の頭皮接触部２と、該頭皮接触部２を構成する薄板４或いは吸水性素材５に接続された金属導体６から成り、該頭皮接触部２は少なくとも一部が前記貯液室３に内包され少なくとも他の一部が前記筐体１の外部に露出している事を特徴とする。
【００１２】
図９は、本発明の実施形態に係る脳波検出用電極の頭皮接触部２の構造を示す斜視図である。４は薄板を示し、５は吸水性素材を示す。この図が示している通り、本発明の実施形態に係る脳波検出用電極の頭皮接触部２は二枚の薄板４と該二枚の薄板４に挟まれた吸水性素材５から成る事を特徴とする。
【００１３】
図１０は、本発明の実施形態に係るヘッドセット型脳波測定装置の斜視図である。１と２は請求項１の脳波検出用電極を示し、７は頭部に着脱自在なフレームであり前記脳波検出用電極が配置されている事を示す。本実施形態は鉢巻状に頭部に固定する方式であるが、硬いフレーム７にて頭部を挟む方式やフレーム７を帽子状、或いはリング状にして頭部に固定する方式でもかまわない。
【００１４】
本発明は、以上のような構成で次のようにして使用する。使用者８は先ず貯液室３に電解液が有る事を確認し、無い場合には注入する。電解液は毛管現象により吸水性素材５を伝って頭皮接触部２の露出部にまで到達する。これを確認した後、使用者８はヘッドセット型脳波測定装置を頭部に装着する。その際、頭皮接触部２の先端が後頭部の頭皮に接触するようにフレーム７を後頭部側に配置させる。頭皮接触部２の先端は薄い板状である為、頭髪の間を通り頭皮まで達する事ができる。また、二枚の薄板４に挟まれた吸水性素材５を通じて供給される電解液は、電極と頭皮の接触前後において周辺の頭髪や頭皮を汚す事なく、電極が接触した頭皮のみを濡らし、電極の安定性をもたらす。このように本発明品を装着する事により脳波検出用電極は頭髪に遮られる事無く使用者８の頭皮に直接接触し、頭髪を汚す事なく電解液を頭皮に供給する事ができる。図１１は本発明の実施例を示す側面図であり、使用者８が本発明品を前述の通りに装着した状態を表す。
【００１５】
次ぎに本発明品である脳波検出用電極及び、使用者８に直接配置されたその他の電極を脳波計に接続し脳波計測を行う。
【００１６】
本実施形態においては、使用者８に音楽等を聴かせて、その心理的効果を確認すべく、後頭部より発生するアルファー波を含む脳波を計測できるようにした。
【実施例】
【００１７】
本発明の実施例を以下詳細に説明する。通常、医療機関等にて脳波計測を行う場合には、国際基準である１０−２０法に基づいて被計測者の頭部２１箇所に直径１０ｍｍ程の皿型の銀塩化銀電極を導電性ペーストを用いて固定し、前記２１箇所の内から１点又は２点を基準電極として選択し、該基準電極とその他の電極との電位差を電極に接続された脳波計にて計測する方法が取られる。
【００１８】
この方法の場合、電極の取り付けに非常に時間がかかる上、多量の導電性ペーストを使用する事により頭髪が汚れてしまう為、簡易的に脳波を計測するシステムにおいては非常に不便な方法であった。
【００１９】
そこで、導電性ペーストを使用する事無く脳波計測を行う方法を実現すべく、前記の皿型電極２個が額の２点に接触するように配置されたヘッドバンドを作成し、これを頭部に装着して脳波計測を行った。電極の配置箇所を額とした理由は毛髪が無い為、電極が直接頭皮に接触可能な為である。しかし閉眼した際に必ず発生するアルファー波があまり検出する事が出来なかった。
【００２０】
そこで、皿電極１個を導電性ペーストにて耳の付け根付近に貼り付け、別の皿電極１個を後頭部の毛髪をかき分けた箇所に貼り付けて脳波計測を行った所、明確にアルファー波を捉える事ができた。この事からアルファー波は後頭部より発生し、前頭部ではほとんど発生しない事が判明した。その結果、如何にすれば頭髪を有する後頭部の頭皮に対して頭髪を導電性ペーストで汚す事なく且つ頭髪を乱す事なく電極を接触させる事ができるかと言う課題が発生した。
【００２１】
そこで、直径１ｍｍ長さ１０ｍｍの純銀丸棒１６本を縦４列、横４列、１インチ間隔にてプリント基板上に剣山状に配列して半田付けしたものを９Ｖ乾電池のプラス側に、余った純銀丸棒をマイナス側に繋ぎ両方を食塩水に浸す事により、プラス側の純銀丸棒１６本に塩化銀皮膜を形成させ、これを電極として使用する事とした。該電極を２個作成し、１個が耳の付け根付近に、もう１個が後頭部に接触するようにマジックテープ（登録商標）式ヘッドバンドに配置し、これを頭部に締める形で装着し脳波を計測したところ、明瞭にアルファー波を検出する事ができた。又、該剣山状電極を装着する際の痛みを防止する為に、電極と頭皮との接触面を平らにすべく純銀丸棒の先端を平面化し、さらに先端面の縁を削った。
【００２２】
しかし、前記の剣山状電極を用いて多数の被計測者に対する実験を行った所、被計測者の頭髪の細さやヘアースタイルによっては電極と頭皮の間に頭髪が入り込んでしまう事が分かった。この場合に電極と頭皮を直接接触させる為には、電極を小刻みに動かしながらさらに強く押し当てる方法や頭髪を掻き分けた状態で電極を再度装着する方法などが必要であり、いずれもが不便であった。  この事から、多数の使用者が不便を感ずる事無く該剣山状電極を装着する為には、該電極を構成する純銀丸棒の太さが直径１ｍｍ以上では太すぎる事が判明した。
【００２３】
そこで、純銀丸棒の太さを０．６ｍｍに変更して前述と同様の電極を作成して実験した所、先端を平らにしたにも関わらず装着時にかなり痛みが有った。原因は電極と頭皮の接触面積が狭くなった為であり、特に装着した電極本体が少しでも傾くと、極わずかな接触面積にて接触圧力を支える事となる為、かなりの痛みを伴った。
【００２４】
そこで、直径０．５ｍｍ長さ２８ｍｍの純銀丸棒を逆Ｕ字型に湾曲させたもの９個を、縦は１インチ間隔で３列に、横は２インチ間隔で３列に、全ての向きを揃えてプリント基板に配列し、前述と同様の方法にて塩化銀皮膜を形成させ、この電極２個を前述同様にヘッドバンドに配置して同様の実験した所、装着時の痛みを伴わず脳波の検出ができた。これは、細さが０．５ｍｍの逆Ｕ字型部材が同方向に配列されているものであれば頭髪の隙間に入り込み易い点と、また前述の剣山状電極の接触面が点であったのに対して逆Ｕ字型部材を使えば接触面を線にできる事から接触面積を増やせる点と、電極本体が前後左右に傾いた場合も接点が丸い状態のままであり、電極が頭皮に突き刺さる事が無い為であると判明した。ところが今度は直径０．５ｍｍの純銀丸棒から成る逆Ｕ字形金属部材の細さの為、ヘッドバンドの着脱を繰り返すと該部材が曲がってしまう事が分かった。
【００２５】
そこで、直径１ｍｍ長さ２８ｍｍの純銀丸棒を逆Ｕ字型に湾曲させて、その先端の湾曲部分を馬蹄状に金槌で潰して０．５ｍｍの薄さの略板状にしたもの９個を前述と同様にプリント基板に配列して前述と同様の方法にて塩化銀皮膜を形成させ、この電極２個を前述同様にヘッドバンドに配置して同様の実験をした所、装着時の痛みをほとんど伴わず脳波の検出ができた上に部材の曲がりも全く無くなった。これにより、軟らかい金属である銀であっても脚部が直径１ｍｍ以上あれば計測時の接触圧力に耐えられる事が分かった。また、四角形の台板の四隅に逆Ｕ字型部材４個を配置したものは装着の際に傾き難い事も判明した。
【００２６】
さらに、逆Ｕ字型部材の先端の湾曲部分の厚みを０．５ｍｍから０．１ｍｍずつ厚くして同様の実験をした所、電極と頭皮が容易に接触する為には厚さ０．８ｍｍ程が限界である事が分かった。また、逆Ｕ字型部材を構成する純銀丸棒の太さを直径１ｍｍから０．１ｍｍずつ細くして同様の実験をした所、電極を装着する際に部材が曲がらない為には、これもやはり直径０．８ｍｍ程が限界である事が分かった。従って、信頼性が高く且つ製造方法が容易である脳波検出用電極の構成として、直径０．８ｍｍ以上の純銀丸棒をＵ字に曲げて、その湾曲部分を０．８ｍｍ以下の略板状に潰したものから成っている事が最良であると判明した。
【００２７】
しかし、前記の逆Ｕ字型部材を用いる事により、導電性ペーストを全く使用せずに脳波を検出する方法においては、電極と頭皮が強く密着している事が必要であり、例えば装着に不慣れな使用者等が電極を緩く装着した場合、電極と頭皮の密着度が弱くなり、ノイズが混入する事が分かった。これは、電極が頭皮上でぐらつく事により、電極と頭皮の間の抵抗値が変動するか或いは電極と頭皮の間に電荷が蓄積する為である事が分かった。いずれにしても、どの程度の割合でこれらの不具合が発生するかを検証する必要が有った。
【００２８】
そこで、装着に不慣れな被験者数３８名に自ら電極を装着してもらい、その際の脳波を計測する実験を行った。まず被験者に前記の逆Ｕ字型部材から成る電極を配置したマジックテープ（登録商標）式ヘッドバンドを自ら装着してもらい、次に開眼時１０秒と閉眼時１０秒の脳波を計測した。その結果、被験者のうち１２名の脳波にはノイズの混入がほぼ認められなかったが、残り２６名の脳波にはノイズの混入が認められた。そこで、ノイズの混入が認められた２６名に対して、ノイズの混入が無くなる程度まで電極を強く密着させるべく再びマジックテープ（登録商標）式ヘッドバンドを強く締め付けるように指示し、実行してもらったところ、全ての被験者が痛みを訴えた。この実験の結果、如何にすれば不慣れな使用者が装着してもノイズの混入を生じる事なく且つ痛みを伴う事なく脳波が検出可能な脳波計電極を実現できるかと言う新たな課題が発生した。
【００２９】
そこで、前記の逆Ｕ字型部材に糸を巻き、塩水に浸したものを電極として使用し、脳波の検出実験をしたところ、電極を緩く装着した場合でもノイズの混入が少ない事が分かった。これは、電極の塩化銀（ＡｇＣｌ）と塩水（ＮａＣｌ）との共通イオンである塩素イオン（Ｃｌ−）が電荷の授受を媒介する事により頭皮と電極間には電荷が蓄積されない為であり、これが、このような性質の電極すなわち不分極電極の効果である事が分かった。しかし、この逆Ｕ字型部材に糸を巻く方法の場合、塩水がすぐに乾く点と若干頭髪が汚れる点で改良の必要が有った。
【００３０】
そこで、縦１８ｍｍ、横１０ｍｍ、厚さ０．３ｍｍの純銀板２枚にて略同サイズのフェルトを挟み込み、それらをリベットで固定した後、ハンマーで叩く事により厚みを略０．８ｍｍにし、さらに頭皮との接触部分の角をヤスリで丸め、前述と同様の方法にて塩化銀皮膜を形成させたものを電極用部材のうちの頭皮接触部として使用する事とした。厚みを略０．８ｍｍとした理由は、前述の実験結果を踏まえての事である。
【００３１】
フェルトを２枚の純銀板で挟み、それらを固定する為のリベットとして、当初はアルミ製リベットを使用していたが、これでは塩化銀皮膜の形成が出来ない事が分かった。これは、アルミと塩化銀が化学反応を起こす為であった。そこで、直径２ｍｍと直径１ｍｍの純銀製丸棒を短く切ったものをリベットとして使用した所、塩化銀皮膜の形成が出来た為、この方法にて４枚の頭皮接触部を作った。これは１個につき２枚の頭皮接触部を有する電極を２個作成する為である。
【００３２】
次に、アクリル板にて高さ３０ｍｍ、幅２３ｍｍ、奥行１５ｍｍの筐体を２つ作り、それぞれに前述の頭皮接触部が差し込める切り込み２箇所を筐体の前面に、塩水を注入する穴２箇所を筐体の背面に空けた。次に、切り込み２箇所に対して前述の頭皮接触部を差し込み、さらには差し込み口からの塩水の漏れを防止する為に、頭皮接触部と差し込み口の隙間を接着材で封止した。次に頭皮接触部の純銀板に導線を接続し、次に筐体の背面の穴より注射器を使って塩水を注入し、次にこの電極２個をマジックテープ（登録商標）式ヘッドバンドの２箇所に配置した。
【００３３】
以上により作成した電極を使い脳波の検出実験をしたところ、電極を緩く装着した場合でもノイズの混入がほとんど無く、しかも塩水が乾く事が無かった。しかし、この方法の場合、塩水がフェルトを通じて多量に滲み出て来る為、頭髪や周辺の頭皮が汚れてしまう事が分かった。これは、頭皮接触部のうち筐体外に露出した部分の位置が塩水の液面の位置より下にある為であり、従って滲出によって塩水が減少し、塩水の液面が露出した頭皮接触部の位置より下に来るまで、塩水は多量に滲出し続ける事が分かった。
【００３４】
そこで、筐体内部を上下２つに仕切り、下部のみを塩水の貯液室とした。また、前述のフェルトを挟んだ２枚の塩化銀皮膜付き純銀板から成る頭皮接触部を逆Ｌ字状にする事により筐体に内包される部分を長くし、筐体下部の貯液室まで到達するようにした。すなわち、貯液室が筐体外部に露出する頭皮接触部よりも下に位置するようにした。これにより、貯液室の塩水は毛管現象によりフェルトに吸い上げられて、筐体外部に露出する頭皮接触部にまで到達するが、余分な塩水が滲出する事がなく、フェルトは保水するに留まる。この構造から成る電極を使用する事により、薄さ略０．８ｍｍの頭皮接触部は頭髪の間を通って頭皮に到達し、電極と接触する頭皮に対してのみ塩水による適度な湿りを与える事ができた。また、頭皮接触部の厚みが略０．８ｍｍである為、前述の実験結果と同様に頭皮接触部が折れ曲がる事は全く無かった。
【００３５】
これを電極として前述の実験においてノイズの混入が認められた２６名のうちの２３名及び新たな被験者１５名に対し、前述同様の実験をしたところ、全ての被験者の脳波にノイズの混入がほとんど認められず、また装着の痛みを訴える被験者も無かった。これにより、緩く装着してもノイズが混入せず、しかも塩水が乾く事が無く、且つ塩水によって頭髪が汚れる事が無い脳波検出用電極を実現できた。
【００３６】
また、これまで塩水の注入は、筐体に空けた穴より注射器にて注入していたが、この手間を省く為に、貯液室を筐体より分離し、カートリッジ式とした。すなわち該カートリッジ式貯液室は筐体側の頭皮接触部を差し込める形状とし、差し込み口は塩水漏れを封止する為にゴム製とした。この事により、塩水の補給が容易になり、同時に電極が乾いた際に多量の塩で汚れる事を防止できた。
【００３７】
また、頭皮接触部の厚みを変更する実験を行ったところ、この方式においては、頭皮接触部のうち頭皮に直接接触する先端部分の厚みが２．０ｍｍ以下であれば前述同様にノイズの混入を伴う事無く脳波検出が可能であった。これは、電極と頭皮の間に多少の頭髪が入っても、塩水が前述の不分極電極の効果をもたらす為である事が分かった。この場合の塩水の量はフェルトの毛管現象を利用して供給された極めて少量である為、頭髪の汚れは、ほとんど気付かない程度のものである。また、筐体との接合部分が０．３ｍｍ以上であれば頭皮接触部装着の際に折れ曲がらない事が分かった。これは、前回の実験における逆Ｕ字型部材が純銀丸棒を使用していた事に対して、今回は純銀板を使用している事により強度が上がった為と、強く装着せずともノイズの混入を伴う事無く脳波検出が可能である為と分かった。
【００３８】
一方、フェルトを挟んだ２枚のプレートの材質を塩化銀皮膜を形成させた純銀製プレートから塩化鉛皮膜を形成させた鉛プレートに変えた場合や、該プレートの材質はそのままにして貯液室に注入する液体を塩水から塩化カリウム水溶液に変えた場合や、前記プレートの材質を樹脂に変え、該プレート２枚によって挟まれたフェルトに塩化銀皮膜を形成させた純銀製の導線を接続した場合や、前記プレートの材質を樹脂に変え、該プレート２枚によって挟まれたフェルトに塩化銀皮膜を形成させた純銀板を接触させて、該純銀板に導線を接続した場合についても実験を行ったが、いずれも前述と同様にノイズの混入を伴う事無く脳波検出ができた。この事から、電極を構成する金属は貯液室に含有させた電解液と共通のイオンを持つ金属であればよく、該金属は頭皮に直接接触していなくても、前記電解液と導線に接触していればよい事が分かった。
【図面の簡単な説明】
【００３９】
【図１】本発明の実施形態に係る脳波検出用電極の斜視図である。
【図２】本発明の実施形態に係る脳波検出用電極の側面図である。
【図３】本発明の実施形態に係る脳波検出用電極の上面図である。
【図４】本発明の実施形態に係る脳波検出用電極の正面図である。
【図５】本発明の内部構造を示す脳波検出用電極の一部透視斜視図である。
【図６】本発明の内部構造を示す脳波検出用電極の側面断面図である。
【図７】本発明の内部構造を示す脳波検出用電極の上面断面図である。
【図８】本発明の内部構造を示す脳波検出用電極の正面断面図である。
【図９】本発明の実施形態に係る脳波検出用電極の頭皮接触部２の構造を示す斜視図である。
【図１０】本発明の実施形態に係るヘッドセット型脳波測定装置の斜視図である。
【図１１】本発明の実施例を示す側面図である。
【符号の説明】
【００４０】
１    筐体
２    頭皮接触部
３    貯液室
４    薄板
５    吸水性素材
６    金属導体
７    フレーム
８    使用者
【要約】
【課題】脳波計測において、後頭部より発生するアルファー波を含む脳波の計測が可能であり、しかも導電性ペースト等によって使用者の頭髪を汚す事が無く電極を頭部に配置でき、また頭髪を乱す事無く容易に着脱可能であり、さらには装着時の痛みが無く、ノイズが混入しにくい脳波検出用電極の実現。
【解決手段】内部に電解液を有する貯液室３を備えた筐体１と、二枚の薄板４と該二枚の薄板４に挟まれた吸水性素材５から成る複数の頭皮接触部２と、前記薄板４或いは前記吸水性素材５に接続された金属導体６から成り、前記頭皮接触部２は少なくとも一部が前記貯液室３に内包され少なくとも他の一部が前記筐体１の外部に露出している事を特徴とする脳波検出用電極、及び貯液室３は筐体１の外部に露出した頭皮接触部２よりも低位置にある事を特徴とする請求項１に記載の脳波検出用電極により課題を解決した。
【選択図】        図５
【図１】
0003729460.tif 000002
【図２】
0003729460.tif 000003
【図３】
0003729460.tif 000004
【図４】
0003729460.tif 000005
【図５】
0003729460.tif 000006
【図６】
0003729460.tif 000007
【図７】
0003729460.tif 000008
【図８】
0003729460.tif 000009
【図９】
0003729460.tif 000010
【図１０】
0003729460.tif 000011
【図１１】
0003729460.tif 000012